(57)【要約】【課題】材料費や組立工数を低減し、構造を簡素化して小型化を図り、ピンプラグのジャック後方への抜け強度を向上させ、同時に端子位置寸法安定度を改善すること。  【解決手段】正面２ａに開口するプラグ挿入孔１を備えたハウジング２と、そのプラグ挿入孔１の後端後方に構成したピンプラグ３の基部４を装入配置するための取付空間５と、プラグ挿入孔１中の後部側にピンプラグ３のピン部６を、取付空間５にピンプラグ３の基部４を、それぞれ装入配置するためのピン装入口７と、基部４が取付空間５に装入配置状態になり、これによってそのピン部６がプラグ挿入孔１の後部内で軸芯に沿った配置状態となるピンプラグ３とを備える。ピン装入口７は、プラグ挿入孔１に直交する装入方向に構成した開口部で、ハウジング２の底部２ｂ側に開口する。取付空間５は、その後端にピンプラグ３の端子の延出部を装入するスリット状空間を付設してある。【選択図】  図２
2011146264.tif 000002
【特許請求の範囲】
【請求項１】
正面に開口するプラグ挿入孔を備えた絶縁性のハウジングと、
該ハウジングのプラグ挿入孔の後端後方に構成したピンプラグの基部を装入配置するための取付空間と、
該ハウジングのプラグ挿入孔に、その軸芯に沿って該ピンプラグのピン部を装入し、かつ該取付空間に、その軸芯に沿って該ピンプラグの基部を装入するためのピン装入口であって、該プラグ挿入孔及び該取付空間の軸芯に直交する装入方向を持った構成とした、該ハウジングの外面に開口するピン装入口と、
該ピン装入口から装入され、その基部が前記取付空間に装入設置状態となり、そのピン部が前記プラグ挿入孔の軸芯に沿った配置状態となるピンプラグと、
を備えた電源ジャック。
【請求項２】
前記ピン装入口を開口するハウジングの外面を、該ハウジングを取付対象の基板に取り付ける取付面とした請求項１の電源ジャック。
【発明の詳細な説明】
【技術分野】
【０００１】
本発明は、携帯電話等の各種の小型電子機器において、ＤＣ電源の授受のために使用される、プラグ挿入孔の中心にピンプラグが配された電源ジャックに関するものである。
【背景技術】
【０００２】
この種のピンプラグを備えた電源ジャックには、図８(a)〜(c)に示すように、ハウジング１１の後部に開口した装入口１２からピンプラグ１３を装入し、ピン部１４をプラグ挿入孔１５の軸芯に沿った位置に配し、その基部１６を該プラグ挿入孔１５の後端後部に構成した取付空間１７に固定するものが知られている。ピンプラグ１３は基部１６の周囲に構成してあるランス１８が取付空間１７に形成してある段差部１９に係止して抜け止めとなるものである。
【０００３】
この従来例の電源ジャックは、機器の小型化に伴い、ピンプラグ１３も小型化され、ランス１８サイズが小さくなった結果、固定強度が不十分になり、前方からプラグ挿入孔１１に挿入されるプラグによって後方に押され、後方の装入口１２から抜け出てしまう虞が生じる。特にプラグが正確に挿入されなかった場合には、ピンプラグ１３に強い押圧力が加わることがあり、後方への抜けの問題が現実化する可能性がある。
【０００４】
また同様の電源ジャックには、図９(a)、(b)に示すように、ハウジング２１の前面に開口したプラグ挿入孔２２からピンプラグ２３を装入し、その基部２４の後端をハウジング２１後部の結合孔２５及びその背後に接合した端子２６の基部の結合孔２７に同時に挿入した上で、該ピンプラグ２３の基部２４の後端をかしめて固定したものがある。この状態で、該ピンプラグ２３のピン部２８はプラグ挿入孔２２の軸芯に沿って配された状態になる。
【０００５】
この従来例の電源ジャックは、基部２４の前端の鍔部２９及び後端のかしめた部分でハウジング２１の後部に固定されるので、プラグ挿入孔２２に挿入されたプラグによって若干強く押圧されても容易に後方に抜けてしまうような問題が生じない。しかし、このような構成のピンプラグ２３は挽物として製造するものとなり、コスト高となる。またピンプラグ２３の後端から一体の端子を構成することはできないため、端子２６との２ピース構造とならざるを得ず、更にコスト高となる問題がある。
【０００６】
特許文献１は、以上の二つの従来例の内、前者の問題点を解決するものの一つであり、ハウジングのプラグ挿入孔内に、その軸芯に沿って後部からピンプラグのピン部が突出状態になっており、その基部が該プラグ挿入孔の後部後端に固定され、更に該ピンプラグの基部には、側部に穴部が開口してあり、該ピンプラグに直交する方向から該穴部にロックピンの一部が挿入され、その軸方向の動きを阻止するようになっている。
【０００７】
従って、この特許文献１の電源ジャックでは、プラグのプラグ挿入孔への挿入の際に、該プラグがプラグ挿入孔の軸芯に対して若干ずれる等の何らかの事情により、ピンプラグのピン部に若干大きな押圧力が加わるようなことがあっても、ピンプラグは、前記ロックピンにより所定の位置に確実に保持され、後方に押し出され、脱落を生じるような虞はない。しかし、前記のように、この特許文献１の電源ジャックでは、ピンプラグの基部をロックピンで所定の位置に固定するものであり、新たな追加部品（ロックピン）を必要とする問題がある。
【０００８】
特許文献２は、関係する部分のみを述べると、ハウジングのコンタクト収納部に突出状態にコンタクト本体を配し、その基部側を、ハウジングのその後方の部位に固定し、更にハウジングのその後方の部位にカバー部を配したものである。
【０００９】
従ってこの特許文献２のジャックによれば、プラグが挿入された際に、何らかの事情で該コンタクト本体が若干強く押圧されることとなっても、前記カバーによってその後方への移動が阻止されているため、コンタクト本体の後方への抜けは確実に防止される。しかし、これは、前記特許文献１のロックピンと同様に、新たな追加部品（カバー）を必要とする問題がある。
【先行技術文献】
【特許文献】
【００１０】
【特許文献１】特開２００７−１５７６１７号公報
【特許文献２】特開２００３−３３２０００号公報
【発明の概要】
【発明が解決しようとする課題】
【００１１】
本発明は、前記従来例のようなロックピンやカバー等の追加部品を用いることなく、即ち、材料費や組立工数の低減を図り、構造の簡素化により小型化を図りつつ、ピンプラグのジャック後方への抜け強度を向上させ、同時に端子位置寸法安定度（コプラナリティ）を改善した電源ジャックを提供することを解決の課題とする。
【課題を解決するための手段】
【００１２】
本発明の１は、正面に開口するプラグ挿入孔を備えた絶縁性のハウジングと、該ハウジングのプラグ挿入孔の後端後方に構成したピンプラグの基部を装入配置するための取付空間と、該ハウジングのプラグ挿入孔に、その軸芯に沿って該ピンプラグのピン部を装入し、かつ該取付空間に、その軸芯に沿って該ピンプラグの基部を装入するためのピン装入口であって、該プラグ挿入孔及び該取付空間の軸芯に直交する装入方向を持った構成とした、該ハウジングの外面に開口するピン装入口と、該ピン装入口から装入され、その基部が前記取付空間に装入設置状態となり、そのピン部が前記プラグ挿入孔の軸芯に沿った配置状態となるピンプラグと、を備えた電源ジャックである。
【００１３】
本発明の２は、本発明の１の電源ジャックにおいて、前記ピン装入口を開口するハウジングの外面を、該ハウジングを取付対象の基板に取り付ける取付面としたものである。
【発明の効果】
【００１４】
本発明の１の電源ジャックによれば、ピンプラグをプラグ挿入孔の軸芯に直交する向きの装入方向を持ったピン装入口を通じて所定の部位に設置するものであり、ハウジングの後方から装入して設置するものではない。それ故、ハウジングは、そのピンプラグの基部の取付位置より後方の部位を閉じた構成とすることが可能である。従って、プラグ挿入孔に、プラグを、若干傾いた角度で挿入してしまった場合や、該プラグ挿入孔に対応しないプラグを挿入してしまった場合等であって、その結果、それらのプラグによってそのピンプラグのピン部に無用な押圧力を加えてしまった場合であっても、それが、該ハウジングの後部を突き破るほどの極端に強大な力でない限り、該ピンプラグは該ハウジングの後方に突き出されて脱落するような虞はない。
【００１５】
本発明の２の電源ジャックによれば、通常、ピンプラグの端子は該取付面側に延長する構成とする筈であり、そうしたとすれば、プラグピンの端子位置寸法は、プラグピンのピン装入口からの押し込み量のみの調整で決めることができるため、コプラナリティをコントロールし易い。前記従来例の前二者の場合に、ハウジングのプラグ挿入孔の位置寸法及びプラグピンの端子寸法という二つの寸法に依存し、その二つの公差に影響を受けるのと比較して非常に容易になっている。
【図面の簡単な説明】
【００１６】
【図１】(a)は実施例の電源ジャックの正面図、(b)は背面図、(c)は平面図、(d)は底面図、(e)は右側面図。
【図２】図１(a)のＡ−Ａ線断面図。
【図３】実施例の電源ジャックの背面側から見た斜視図。
【図４】(a)は実施例の電源ジャックのハウジングの正面図、(b)は背面図、(c)は平面図、(d)は底面図、(e)は右側面図。
【図５】図４(a)のＢ−Ｂ線断面図。
【図６】図４(e)のＣ−Ｃ線断面図。
【図７】(a)はピンプラグの正面図、(b)は背面図、(c)は平面図、(d)は底面図、(e)は左側面図、(f)右側面図、(g)は斜視図。
【図８】(a)は従来例の１の電源ジャックの正面図、(b)は(a)のＤ−Ｄ線断面図、(c)は(a)のＥ−Ｅ線断面図。
【図９】(a)は従来例の２の電源ジャックの正面図、(b)は(a)のＦ−Ｆ線断面図。
【発明を実施するための形態】
【００１７】
本発明を実施するための形態を実施例に基づき図面を参照しながら詳細に説明する。
【００１８】
この実施例の電源ジャックは、図１〜図３に示すように、基本的に、正面２ａに開口するプラグ挿入孔１を備えたハウジング２と、該ハウジング２のプラグ挿入孔１の後端後方に構成したピンプラグ３の基部４を装入配置するための取付空間５と、該プラグ挿入孔１中の後部側にピンプラグ３のピン部６を、該取付空間５に該ピンプラグ３の基部４を、それぞれ装入配置するためのピン装入口７と、該基部４が該取付空間５に装入配置状態になり、これによってそのピン部６が前記プラグ挿入孔１の後部内で軸芯に沿った配置状態となるピンプラグ３とを備えたものである。
【００１９】
前記ハウジング２は、この実施例では、図１(a)〜(e)、図３及び図４(a)〜(e)に示すように、ほぼ直方体状の部材であり、絶縁性のプラスチックで構成したものである。もっとも、ハウジング２はこのように直方体状の形状に限定されるわけではない。前記プラグ挿入孔１は、図１(a)、図２、図４(a)、図５及び図６に示すように、該ハウジング２の正面２ａに開口し、該ハウジング２の後部近傍まで延びる円筒状を基本とする空間である。このプラグ挿入孔１の寸法形状は挿入されるプラグの寸法形状に対応するものである。このプラグ挿入孔１には、その後端に、後部の取付空間５に基部４が配されたピンプラグ３のピン部６がその中に突出するための開口部を開口してあり、両側部には、その一部が該プラグ挿入孔１内に開口するバネ設置空間１ａ、１ｂであって、通常、負極を構成する一体のコンタクトバネ１０、１０を配置するためのバネ設置空間１ａ、１ｂを構成してある。
【００２０】
前記取付空間５は、該ハウジング２において、該プラグ挿入孔１の後端の後方に相当する部位に構成した空間であり、図２に示すように、前記ピンプラグ３の基部４をその部位に装入した状態で、該ピンプラグ３のピン部６を該プラグ挿入孔２の軸芯に沿った位置に正確に位置決めできるように構成したものである。
【００２１】
該取付空間５は、更に詳細には、図１(d)、図２、図４(d)、図５及び図６に示すように、前記ピンプラグ３の円筒状の基部４を装入しうるほぼ半円筒状空間であり、その後端で両側下方に延びる端子８の延出部８ａ装入用のスリット状空間９を付設してあるものである。なお、この取付空間５及びスリット状空間９の構成は、この実施例のピンプラグ３の形状に対応したものであり、これに限定されるものではない。該半円筒状空間である取付空間５及びスリット状空間９の後部側は、同図に示すように、後壁２ｗとなって閉じている。
【００２２】
前記ピン装入口７は、特に図２及び図５に示すように、前記プラグ挿入孔１の軸芯及び前記取付空間５の軸芯と直交する向きの装入方向を持った構成とする。この実施例では、該ピン装入口７は、図１(d)、図２、図３、図４(d)及び図５に示すように、前記ハウジング２の取付対象の基板への取付面である底面２ｂに開口するものとする。
【００２３】
該ピン装入口７は、同図に示すように、概ね、ピン部装入口部７ａ、基部装入口部７ｂ及び端子部装入口部７ｃとからなる。該ピン部装入口部７ａは、プラグ挿入孔１におけるピンプラグ３のピン部６の配置位置から該底面２ｂまで、該ピン部６を容易に平行移動させることが可能なほぼ最小限度の空間に形成したものである。また該基部装入口部７ｂは、前記半円筒状空間である取付空間５に配置状態のピンプラグ３の基部４を該取付空間５から該底面２ｂまで、容易に平行移動させることが可能なほぼ最小限度の空間に形成したものである。更に、同様に、該端子部装入口部７ｃは、前記取付空間５に付設したスリット状空間９に配置状態のピンプラグ３の端子８の延出部８ａ、８ａを該スリット状空間９から該底面２ｂまで、容易に平行移動させることが可能なほぼ最小限度の空間に形成したものである。
【００２４】
該ピン装入口７は、ピン部装入口部７ａ、基部装入口部７ｂ及び端子部装入口部７ｃからなる全体を、ハウジング２の底面２ｂ側から見ると、ピンプラグ３（端子８の後記端子部８ｃ、８ｃを除く）を底面側から見た場合の外形線とほぼ相似形の形状となる。
【００２５】
前記ピンプラグ３は、図７(a)〜(g)に示すように、基本的に、正面に突出する小径円筒状のピン部６と、該ピン部６の後端から背後方向に延びる前記基部４と、該基部４の後部両側から下方に延びる結合片８ｂ、８ｂと、該結合片８ｂ、８ｂの両後端に該ピン部６及び基部４の軸芯に直交する外方に折曲状態に張り出した延出部８ａ、８ａとで構成した導電性金属部材である。
【００２６】
該基部４は、同図に示すように、ピン部６の後端との接続部である後方に向かって拡大するテーパ部と、該テーパ部から一定径で後方に延びる定径部とからなるものであるが、該定径部がほぼ完全な円筒状を保持しているのは、テーパ部の直後の一部のみであり、それより後方は、半円筒状となり、半円筒の縁から前記結合片８ｂ、８ｂが下方に向かって延長している。前記延出部８ａ、８ａは、先に述べたように、該結合片８ｂ、８ｂを介して該基部４の定径部に結合するものである。
【００２７】
前記端子８は、前記両延出部８ａ、８ａの下端が、それぞれピン部６側にこれと平行になるように屈曲されてターミナルである端子部８ｃを構成している。
【００２８】
従って、以上のピンプラグ３は、前記ピン装入口７を利用してハウジング２の所定の部位に容易に配置することができる。
詳細には、該ピンプラグ３のピン部６を該ピン装入口７のピン部装入口部７ａに、基部４を基部装入口部７ｂに、端子８の延出部８ａ、８ａを端子部装入口部７ｃに、それぞれ装入し、平行移動状態に押し込むと、該基部４はハウジング２の前記取付空間５を構成する半円筒状空間に装入配置状態になり、これに伴って、該ピン部６は前記プラグ挿入孔１の後部内にその軸芯に沿って配置された状態になり、かつ該延出部８ａ、８ａは、前記スリット状空間９に装入配置状態となって、該ピンプラグ３のハウジング２中へのセットは速やかに完了する。
【００２９】
他方、前記一体のコンタクトバネ１０、１０を前記バネ設置空間１ａ、１ａ中にそれぞれ所定の方法でセットする。
【００３０】
この実施例の電源ジャックは以上のように構成したものであり、それ故、プラグをプラグ挿入孔１に、若干傾いた角度で挿入したり、該プラグ挿入孔１に対応しないプラグを挿入したりして、それらのプラグによってそのピンプラグ３のピン部６に無用な押圧力を加えてしまった場合であっても、該ピンプラグ３の基部４は、背後の後壁２ｗで閉じられた取付空間５に保持されるものであり、確実な保持が維持され、ハウジング２の後方に突き出されるような虞はない。
【００３１】
またこの実施例の電源ジャックによれば、ピンプラグ３の端子部８ｃ、８ｃはハウジング２の基板への取付面である底面２ｂ側に配されるものであり、該プラグピン３の端子部８ｃ、８ｃ位置寸法は、該プラグピン３のピン装入口７からの押し込み量のみの調整で決めることができる。それ故、容易にコプラナリティを調整できる。
【産業上の利用可能性】
【００３２】
この発明は、電子機器の電源ジャックの製造及び電子機器へのその組み込みの分野で利用できる。
【符号の説明】
【００３３】
１    プラグ挿入孔
１ａ  バネ設置空間
２    ハウジング
２ａ  ハウジングの正面
２ｂ  ハウジングの底面
２ｗ  ハウジングの後壁
３    ピンプラグ
４    基部
５    取付空間
６    ピン部
７    ピン装入口
７ａ  ピン部装入口部
７ｂ  基部装入口部
７ｃ  端子部装入口部
８    端子
８ａ  延出部
８ｂ  結合片
８ｃ  端子部
９    スリット状空間
１０  コンタクトバネ
【図１】
2011146264.tif 000003
【図２】
2011146264.tif 000004
【図３】
2011146264.tif 000005
【図４】
2011146264.tif 000006
【図５】
2011146264.tif 000007
【図６】
2011146264.tif 000008
【図７】
2011146264.tif 000009
【図８】
2011146264.tif 000010
【図９】
2011146264.tif 000011